(57)【要約】      （修正有）【課題】発熱して温度の上昇する電磁鋼板から放熱ファンの軸受けを断熱して、ファンの使用寿命を延長することができる放熱ファンの断熱構造を提供する。【解決手段】放熱ファン６の回転軸２２を挿入・支持する軸筒１１を備える軸台１、複数のファンブレード２１を備えるブレードハブ２、軸筒１１外部に嵌めて設置する固定子３からなる。軸筒１１は、断熱性のあるセラミック材質として、その貫通孔１１１内に軸孔４１を備えるベアリング４を収納設置する。回転軸２２の一端は、ブレードハブ２に結合し、他端は、軸孔中に挿入する。固定子３と軸筒１１との間、及び、ベアリング４と軸筒１１との間には、ナノ断熱塗料を塗布する。【選択図】図１
0003158834.tif 000002
【実用新案登録請求の範囲】
【請求項１】
放熱ファンの回転軸を支持する軸筒を備える軸台、複数のファンブレード及び回転軸を備えるブレードハブ、該軸筒外部に嵌合固定するモーター固定子からなり、
該軸筒は、該軸台に直立して設置し、該軸筒は、セラミック材質で構成し、貫通孔を備え、
該貫通孔には、軸孔を備えるベアリングを収納設置し、該ベアリングと該軸筒との間には、ナノ断熱塗料を塗布し、
該回転軸一端は、該ブレードハブに結合し、他端は、該軸孔中に挿入して設置し、
該固定子と該軸筒との間には、ナノ断熱塗料を塗布したことを特徴とする、放熱ファンの断熱構造。
【請求項２】
前記セラミック材質は、酸化ジルコニウム及び酸化アルミ及び二酸化シリコンにより組成するグループの内から任意の一種を選択したことを特徴とする、請求項１に記載の放熱ファンの断熱構造。
【請求項３】
前記ブレードハブの複数のファンブレードは、該ブレードハブより外側へと延伸して構成したことを特徴とする、請求項１に記載の放熱ファンの断熱構造。
【請求項４】
前記固定子は、複数の珪素鋼板板及び絶縁板からなることを特徴とする、請求項１に記載の放熱ファンの断熱構造。
【請求項５】
前記ベアリングは、シングルボール式、或いはダブルボール式、或いはシングルボールとスリーブとの組合せ式、或いはスリーブ式、或いは液圧式、或いは流体動圧式ベアリングの内の一種を選択したことを特徴とする、請求項１に記載の放熱ファンの断熱構造。
【請求項６】
前記ブレードハブはさらに、開放側と封鎖側を備え、該回転軸一端は、該封鎖側に挿入して設置したことを特徴とする、請求項１に記載の放熱ファンの断熱構造。
【請求項７】
前記軸台は、凸ブロックを備え、該軸筒は、該凸ブロックに嵌合するレシーブ溝を備え、
該凸ブロックは、該レシーブ溝に係合し、これにより該軸筒は、該軸台上に固定して設置され、
該レシーブ溝と該凸ブロックとは、上記組合せ接続部を形成したことを特徴とする、請求項１に記載の放熱ファンの断熱構造。
【考案の詳細な説明】
【技術分野】
【０００１】
本考案は放熱ファンの断熱構造に関し、特にセラミック材質を軸筒の材料として採用し、これによりファンは運転時に外部の熱を吸収することがないため、ベアリングの温度を低下させることができる放熱ファンの断熱構造放熱ファンの断熱構造に関するものである。
【背景技術】
【０００２】
放熱ファンの構造は、主に、誘導磁界を形成する固定子とローターからなる。
該ローターは、その軸心を該固定子に設置したベアリング中で回転可能に支持することにより、サポート作用を受けながら自由回転することができる。
該軸心が、ベアリング中において、スムーズな回転と対応状態を常に保持できるよう、通常は、該軸心と該ベアリングとの間に潤滑油を塗布する。
【０００３】
しかし、ファンの運転時には、コイルは通電することによって発熱し、その熱を珪素鋼板板及びベアリング台に伝え、さらにベアリングに伝えるため、ベアリングは常に比較的高温下で作動することになる。
ベアリング中の潤滑油は、高温下では粘度が低下し、流動性が増大してしまう。
そのため、潤滑油の流失が速まり、軸心とベアリング間には潤滑油がない状態で作動することになる。
その結果、ベアリング及び軸心は相互の摩擦が大きくなり、軸心及びベアリングの寿命が短くなってしまい、ファンの損壊に繋がる恐れがある。
すなわち、従来の放熱ファン構造には、以下のような欠点が存在する。
1.作業温度が過度に高い。
2.ファンの寿命が過度に短い。
3.断熱効率が良くない。
本考案は、従来の放熱ファン構造の上記した欠点に鑑みてなされたものである。
【先行技術文献】
【特許文献】
【０００４】
【特許文献１】特開平７−１６１８８９号公報
【特許文献２】特開２００７−６４２４０号公報
【考案の概要】
【考案が解決しようとする課題】
【０００５】
本考案が解決しようとする第一の課題は、熱を隔絶することができる放熱ファンの断熱構造を提供することである。
本考案が解決しようとする第二の課題は、ファンの使用寿命を延長することができる放熱ファンの断熱構造を提供することである。
【課題を解決するための手段】
【０００６】
上記課題を解決するため、本考案は下記の放熱ファンの断熱構造を提供する。
放熱ファンの断熱構造は、軸筒を備える軸台、複数のファンブレード及び回転軸を備えるブレードハブ、該軸筒外部に嵌めて設置し、モーターの磁界を形成する固定子からなり、
該軸筒は、該軸台上に設置し、該軸筒は、セラミック材質で、貫通孔を備え、該貫通孔は、軸孔を備える少なくとも１個のベアリングを収容設置し、
該ベアリングと該軸筒との間には、ナノ断熱塗料を塗布し、
該回転軸一端は、該ブレードハブに連接し、反対端は、該軸孔中に挿入して設置し、
該固定子と該軸筒との間には、ナノ断熱塗料を塗布し、セラミック材質を該軸筒の材料として選択し、
該軸筒内部と該ベアリング間、及び該軸筒外部と該固定子間にナノ断熱塗料を塗布することで熱を隔絶し、ベアリングに対する破壊を防止することができ、放熱ファンの使用寿命を大幅に延長することができる。
【考案の効果】
【０００７】
本考案放熱ファンの断熱構造は、熱を効果的に隔絶することができ、これによりファンの寿命を延長することができる。
【図面の簡単な説明】
【０００８】
【図１】本考案の分解断面図である。
【図２】本考案の組合せ断面図である。
【図３】本考案の局部拡大図である。
【図４】本考案の局部拡大図である。
【考案を実施するための形態】
【０００９】
以下に図面を参照しながら本考案を実施するための最良の形態について詳細に説明する。
【実施例】
【００１０】
本考案の分解断面図、組合せ断面図、局部拡大図である図１、２、３、４に示すように、本考案の放熱ファン6の断熱構造は、軸筒11を備える軸台1、複数のファンブレード21及び回転軸22を備えるブレードハブ2、該軸筒11外部に嵌合して設置されるコイルを備え、磁界を形成するモーター固定子3からなる。
【００１１】
該軸筒11は、該軸台1に設置し、該軸筒11は、セラミック材質で、貫通孔111を備える。
該貫通孔111には軸孔41を備える、少なくとも１個のベアリング4を収容設置する。
該ベアリング4と該軸筒11との間には、ナノ断熱塗料5を塗布する。
【００１２】
該回転軸22一端は、該ブレードハブ2に結合し、反対端は、該軸孔41中に挿入して配置する。
該と該軸筒11との間には、ナノ断熱塗料5を塗布する。
【００１３】
上記構造は、セラミック材料からなる軸筒11により熱を隔絶し、これにより該ベアリング4及び該回転軸22は、該放熱ファン6の運転時に発生する熱による影響を受けることがなくなる。
【００１４】
さらに、該ベアリング4及び該軸筒11間と、該固定子3及び該軸筒11外部間には、ナノ断熱塗料5を塗布し、これにより断熱効果をさらに増進することができる。
【００１５】
該軸台1は、凸ブロック112を備え、該軸筒11は、これに嵌合するレシーブ溝12を備える。
該凸ブロック112は、該レシーブ溝12に係合し、これにより該軸筒11は、該軸台1上に固定して設置される。
【００１６】
該レシーブ溝12と該凸ブロック112とは、共同で組合せ接続部13を形成する。
該ブレードハブ2の複数のファンブレード21は、該ブレードハブ2より外側へと延伸して構成し、該ブレードハブ2はさらに、開放側23と封鎖側24を備える。
【００１７】
該回転軸22一端は、該封鎖側24に挿入して設置する。
該固定子3は、複数の珪素鋼板31及び絶縁板32を備える。
【００１８】
該ベアリング4は、シングルボール式（図示なし）、或いはダブルボール式（図示なし）、或いはシングルボールとスリーブとの組合せ式（図示なし）、或いはスリーブ式（図示なし）、或いは液圧式（図示なし）、或いは流体動圧式ベアリング（図示なし）、或いは油圧ベアリングの内の任意の１種を選択する。
【００１９】
該軸筒のセラミック材質は、酸化ジルコニウム及び酸化アルミ及び二酸化シリコンにより組成するグループの内から任意の一種を選択する。
【００２０】
上記したように、本考案は、セラミック材質を軸筒11の材料とすることで、該放熱ファン6の固定子3上に巻き付けられたコイルが、運転時に発生する熱を隔絶することができる。
セラミック材質は、耐高温かつ低導熱の材料であるため、コイルが発熱しても、セラミック材質の軸筒11により、熱を隔絶し、熱が軸筒11内部の回転軸22及びベアリング4に伝わらないようにし、該軸筒11内部の潤滑油7の粘度が低下し、流失することを防止することができる。
【００２１】
また、本考案は、該ベアリング4と該軸筒11間、及び該固定子3と該軸筒11外部間に、ナノ断熱塗料5を塗布するため、該軸筒11外部のコイルが発生する熱を隔絶することができる。
これにより、熱の隔絶においてより一層高い効果を発揮し、放熱ファン6の使用寿命を大幅に延長することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は特許請求の要件である新規性を備え、従来の同類製品に比べ十分な進歩を有し、実用性が高く、社会のニーズに合致しており、産業上の利用価値は非常に大きい。
【符号の説明】
【００２４】
1  軸台
11  軸筒
111  貫通孔
112  レシーブ溝
12  凸ブロック
13  組合せ接続部
2  ブレードハブ
21  ブレード
22  回転軸
23  開放側
24  封鎖側
3  固定子
31  珪素鋼板
32  絶縁板
4  ベアリング
41  軸孔
5  ナノ断熱塗料
6  放熱ファン
7  潤滑油
【図１】
0003158834.tif 000003
【図２】
0003158834.tif 000004
【図３】
0003158834.tif 000005
【図４】
0003158834.tif 000006
【手続補正書】
【提出日】平成22年2月10日(2010.2.10)
【手続補正１】
【補正対象書類名】実用新案登録請求の範囲
【補正対象項目名】請求項７
【補正方法】変更
【補正の内容】
【請求項７】
前記軸台は、凸ブロックを備え、該軸筒は、該凸ブロックに嵌合するレシーブ溝を備え、
該凸ブロックは、該レシーブ溝に係合し、これにより該軸筒は、該軸台上に固定して設置されたことを特徴とする、請求項１に記載の放熱ファンの断熱構造。